【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
文字盤（目盛盤）（３）に蓄光機能を有する材料を用いた蓄光機能部（４）を備え      指針（２）の文字盤（目盛盤）（３）側の面に文字盤（目盛盤）（３）に向けて      直接的もしくは間接的に蓄光機能部（４）を自発光せしめることが可能な波長の      光を含む光を照射する手段（１）を備え、ここから照射する光によって前記蓄光      機能部（４）を自発光せしめることを特徴とするアナログ式時計および計器。
【請求項２】
前記蓄光機能部（４）は、指針（２）に備えた光を照射する手段（１）が、指針      （２）の動きによって移動しつつ光を照射する範囲に連続的に、もしくは断続的に      並べて配置したことを特徴とする請求項１記載のアナログ式時計および計器。
【手続補正２】
【補正対象書類名】明細書
【補正対象項目名】０００４
【補正方法】変更
【補正の内容】
【０００４】
【課題を解決するための手段】
アナログ式時計もしくは計器に備わるところの文字盤（目盛盤）（３）に蓄光機能
を有する材料を用いた蓄光機能部（４）を備え、指針（２）の文字盤（目盛盤）
（３）側の面に文字盤（目盛盤）（３）に向けて蓄光機能部（４）を自発光せしめ
ることが可能な波長の光を含む光を照射する手段（１）を備え、ここから照射する
光によって前記蓄光機能部（４）を自発光せしめる。また、この蓄光機能部（４）
は、指針（２）に備えた光を照射する手段（１）が、指針（２）の動きによって
移動しつつ光を照射する範囲に連続的に、もしくは断続的に並べて配置する。
これによって、指針（２）から照射された光によって指針（２）の軌跡となる部分
の蓄光機能部（４）を自発光せしめるため、指針（２）の移動跡が発光輝度の濃淡
として蓄光機能部（４）に残り表示される。本発明は以上の構成よりなるアナログ
式時計および計器である。
【手続補正３】
【補正対象書類名】明細書
【補正対象項目名】０００５
【補正方法】変更
【補正の内容】
【０００５】
【発明の実施の形態】
以下、本発明の実施の形態について説明する。図1、図２および図３に本発明の
実施例断面図を示す。図１および図３は指針（２）を文字盤（目盛盤）（３）の
意匠面に設置する形態の実施例１であり、図２は指針（２）を文字盤（目盛盤）
（３）の裏面に設置し、指針（２）を指針が発する光の透過光によって文字盤（目盛
盤）（３）表面に指針を表示する形態の実施例２である。本発明は、このどちらの
形態においても実施が可能である。
【手続補正４】
【補正対象書類名】明細書
【補正対象項目名】０００６
【補正方法】変更
【補正の内容】
【０００６】
文字盤（目盛盤）（３）の指針（２）移動範囲の一部、もしくは全体を含む範囲に
蓄光機能を有する材料を用いた蓄光機能部（４）を備える。この設置方法には蓄光
機能シートを接着する、もしくは蓄光機能塗料を塗装もしくは印刷する、もしくは
文字盤（目盛盤）（３）自体を、蓄光機能を有する成型材で成型する等がある。尚、
蓄光機能シート、蓄光機能塗料、蓄光機能成型材等については本発明の範疇ではなく
夫々の発明にて詳しく述べられており、既に市販され普及しているためこれらの説明
は省く。尚、本発明に用いる蓄光材料の特性としては、初期輝度が明るく、残光時間
が短い特性のものが適している。蓄光機能部（４）は文字盤（目盛盤）（３）の表面
（意匠面）もしくは裏面に備える。文字盤（目盛盤）（３）を挟んで指針（２）の
反対面に蓄光機能部（４）を備える場合は、文字盤（目盛盤）（３）は、後述する
指針（２）に備える光を照射する手段（１）が発する光を透過する材料を用い、蓄光
機能部（４）に光が届くようにする。文字盤（目盛盤）（３）上の蓄光機能部（４）
の配置方法は、指針（２）に備えた光を照射する手段（１）が、指針（２）の動きに
よって移動しつつ光を照射する範囲に連続的に、もしくは断続的に並べて配置する。
例えばアナログ時計の秒針に光を照射する手段（１）を備える場合は、光が照射
される部分に円状に備える。これは連続した円状でも良く、また目盛状に断続した
線を円状に並べてもよい。この理由は、本発明は指針（２）の動きを、蓄光機能を
用いて見せることによって先述の課題を解決するものであるためである。例えば蓄光
機能部（４）を大きな角度を離して少数個所備える様な場合は、指針（２）の動きを
わかりやすく見せることが困難となるため、本発明による効果が得られない。さて、
蓄光機能部（４）の裏側に反射層（５）を設けると、発光をより明るく見せることが
可能となる。反射層（５）を備える方法としては、例えば白色塗装や白色印刷、
あるいは白色シートの接着等がある。図２の実施例においては、反射層（５）に
代わって投影層（１３）が文字盤（目盛盤）（３）と蓄光機能部（４）の間に介在
する。これは、反射層と同様に蓄光機能部（４）によって照らされることにより、
発光をより明るく見せる目的とともに、指針（２）の発する光を投影するスクリーン
の働きを兼ねる。このため、投影層（１３）は蓄光機能部（４）および指針（２）が
発する光を透過する半透過性を有する。
【手続補正５】
【補正対象書類名】明細書
【補正対象項目名】０００７
【補正方法】変更
【補正の内容】
【０００７】
指針（２）の文字盤（目盛盤）（３）側の面には文字盤（目盛盤）（３）に向けて
間接的あるいは直接的に蓄光機能部（４）を発光せしめることが可能な波長の光を
含む光を照射する手段（１）を備える。この光を照射する部位は指針（２）の一部、
例えば先端部のみでもよく、指針形状に沿った面全体でもよい。スポット的に照射
すれば蓄光機能部（４）に残る光跡は線状となり、線状に照射すれば、蓄光機能部
（４）に残る光跡は面状となる。上記機能を備えていれば同じ光源を用いて指針
（２）の意匠面を発光させる機能を兼ね備えてもよい。図１および図２の実施例では
光を照射する手段（１）として指針（２）の内部にチップ型発光ダイオードを複数
備えた例を表している。この電源は、基板（９）上の配線パターンを通り、スピード
ナット形状の接点板（１０）によって電気的に２層構造を有する回転軸（１１）に
プラス極とマイナス極が各々接続され、摺動接点ブラシ（１２）によって指針（２）
の回転運動に関わらず外部の電源に導かれる。他の手段としては指針（２）の根元
底面に摺動接点ブラシを設ける等、様々な給電方法が考えられる。また、図１および
図２の実施例では光源からの光を直接蓄光機能部（４）に照射する形態としているが
間接的に光を照射してもよい。例えば、指針（２）に光ファイバー等の導光手段、
もしくは鏡等の反射手段を指針（２）に備えて、文字盤（目盛盤）（３）側に備えた
光を照射する手段（１）から指針（２）に対して照射した光を、光照射部位まで光を
導いてもよい。図３が間接的に蓄光機能部（４）に光を照射する場合の実施例で
ある。光を照射する手段（１）は指針（２）に内蔵せず、代わりに導光手段（１４）
を内蔵し、指針（２）の外部に備えた光を照射する手段（１）から受ける光を文字盤
(目盛盤)（３）側に導いている。
【手続補正６】
【補正対象書類名】明細書
【補正対象項目名】０００８
【補正方法】変更
【補正の内容】
【０００８】
光を照射する手段（１）の光源には蓄光機能部（４）を自発光せしめることが可能な
波長の光を含む光を照射可能なものを用いる。具体的には蓄光材料を効率的に励起し
自発光させるためには４７０ｎｍ以下の短波長光（紫外線を含む）を照射可能なもの
を用いる。また、例えば紫外線光源を用いれば、蓄光を意図しない意匠部が可視光に
よって照らし出されず蓄光機能部（４）のみによる理想的な発光意匠を得やすい。
以上の理由から、光源に発光ダイオードを用いる場合には、紫色あるいは紫外線発光
ダイオードが適している。発光ダイオード以外の光源としては、蛍光管やブラック
ライト等を用いてもよい。
【手続補正７】
【補正対象書類名】明細書
【補正対象項目名】０００９
【補正方法】変更
【補正の内容】
【０００９】
この指針（２）から照射された光によって蓄光機能部（４）を一定時間発光せしめる
ため、指針（２）の移動跡が光の濃淡による残像として蓄光機能部（４）に残り、
表示される。これによって観察者は、指針の動きが滑らかに見え、かつ、ピーク値も
光跡により読みやすくなる。アナログ時計においては動きの速い秒針に光を照射する
手段（１）を設けることで、新しい意匠の美しさを提供できるようになる。
【手続補正８】
【補正対象書類名】明細書
【補正対象項目名】００１０
【補正方法】変更
【補正の内容】
【００１０】
文字盤（目盛盤）（３）や指針（２）等を保護する前面カバー（８）には、外部
からの光を文字盤（目盛盤）に届き難くするスモーク処理等を施すことで、比較的
明るい場所においても蓄光機能部（４）の光跡が視認しやすくなる。また、周囲空間
とコストが許す場合は、外部の光を効果的に防ぐため、鏡やコンバイナを用いて文字
盤（目盛盤）（３）を外光から遠ざけ、表示部全体を虚像として表示しても良い。
【手続補正９】
【補正対象書類名】明細書
【補正対象項目名】００１１
【補正方法】変更
【補正の内容】
【００１１】
図１、図２および図３の実施例では蓄光機能部位（４）を照射するための光を
照射する手段（１）とは別に備えた照光手段（７）によって、文字や目盛り等が、
背面側から照らし出されるようにしている。照光手段（７）は図１および図２の
実施例ではエレクトロルミネッセンスを用いている。図３の実施例では発光ダイ
オードを用いており、文字盤（目盛盤）（３）の照光以外に指針（２）の照光も
行っている。この様に他の照光手段と組み合わせることによって、文字盤（目盛
盤）上の文字および目盛りは、指針（２）の位置に関わらず発光させることが出来、
従来の照光方法と組み合わせて多彩な照光意匠を実現することが可能である。
【手続補正１０】
【補正対象書類名】明細書
【補正対象項目名】００１２
【補正方法】変更
【補正の内容】
【００１２】
【発明の効果】
本発明により、指針の移動跡が文字盤（目盛盤）の蓄光機能部上に濃淡のある光跡と
して現れるため、意匠として美しく、従来にない指針の動きの視覚的演出が可能と
なる。また、同様に指針の動きが蓄光機能部に線状もしくは面状に描かれるため、
ピーク値が光跡によって読みやすくなる。
【手続補正１１】
【補正対象書類名】明細書
【補正対象項目名】図面の簡単な説明
【補正方法】変更
【補正の内容】
【図面の簡単な説明】
【図1】
本発明の断面図（実施例１）
【図２】
本発明の断面図（実施例２）
【図３】
本発明の断面図（実施例３）
【符号の説明】
１．光を照射する手段
２．指針
３．文字盤（目盛盤）
４．蓄光機能部
５．反射層
６．文字・目盛および遮光部印刷層
７．照光手段
８．前面カバー
９．基板
１０．接点板
１１．回転軸
１２．摺動接点ブラシ
１３．投影層
１４．導光手段
【手続補正１２】
【補正対象書類名】図面
【補正対象項目名】図３
【補正方法】追加
【補正の内容】
【図３】
2004251867.tif 000001